(57)【特許請求の範囲】
【請求項１】
乾式電気集塵機の内部を洗浄する装置であって、ガス流路と平行に立設されるとともにガス流路の横断方向に沿って間隔をおいて互いに平行に配列された複数の集塵電極板からなる集塵電極ユニットの側縁部に対向しガス流路の横断方向に沿って間隔をおいて複数の鉛直水管を配設し、当該鉛直水管に回転噴霧器を複数取り付けたことを特徴とする乾式電気集塵機用洗浄装置。
【請求項２】
前記回転噴霧器は前記鉛直水管に分岐するノズルヘッダに回転自在に取り付けられて内部に洗浄液を導水可能としたノズル主管と、当該ノズル主管３８の先端部に配置され、先端のノズル噴射孔からの噴霧方向が回転円軌跡の接線方向であって、かつ噴霧圧力がノズル主管３８への偶力を与える方向に向けられているスプレーノズルとを具備してなり、このスプレーノズルからの噴霧圧力により前記ノズル主管を回転可能ならしめたことを特徴とする請求項１に記載の乾式電気集塵機用洗浄装置。
【請求項３】
乾式電気集塵機の内部を洗浄する装置であって、ガス流路と平行に立設されるとともにガス流路の横断方向に沿って間隔をおいて互いに平行に配列された複数の集塵電極板からなる集塵電極ユニットの上縁部に対向しガス流路方向に沿って間隔をおいて複数の水平水管を配設し、当該水平水管に少なくとも集塵電極板に向けて洗浄液噴霧をなすスプレーノズルを設けるとともに、前記集塵電極ユニットの側縁部に対向しガス流路の横断方向に沿って間隔をおいて複数の鉛直水管を配設し、当該鉛直水管に回転噴霧器を複数取り付け、この回転噴霧器は前記鉛直水管に分岐するノズルヘッダに回転自在に取り付けられて内部に洗浄液を導水可能としたノズル主管と、当該ノズル主管の先端部に配置されたスプレーノズルとを具備してなり、このスプレーノズルからの噴霧圧力により前記ノズル主管を回転可能ならしめたことを特徴とする乾式電気集塵機用洗浄装置。
【請求項４】
前記ノズル主管は前記ノズルヘッダの上下から突出され、その突出端の各々にスプレーノズルを取り付けるとともに、各端のスプレーノズルはノズル主管の側方に噴霧する水平ノズルと、ノズル主管の延長線と鋭角をなす方向に噴霧する傾斜ノズルとを備えてなり、ノズルヘッダの全周囲を噴霧領域となしていることを特徴とする請求項２または３に記載の乾式電気集塵機用洗浄装置。
【発明の詳細な説明】
【０００１】
【発明の属する技術分野】
本発明は乾式電気集塵機用洗浄装置に係り、特に乾式電気集塵機により捕集され集塵電極に付着したダストを水洗により清掃する洗浄装置に関する。
【０００２】
【従来の技術】
乾式電気集塵機はガス流路を形成しているケーシングの内部に網状の放電極と平板状の集塵極とを交互に平行に配列した集塵電極ユニットを複数組み配置し、ガスを集塵電極間に流通させる際にダストを集塵極に捕集させている。このような乾式電気集塵機では、点検作業や修理作業を行うために、集塵機の内部を定期的（通常、年に１〜２回程度）に水洗い洗浄する必要がある。
【０００３】
従来は、電極を洗浄する目的で固定式の水洗装置を設置しているが、他部分については、ほとんどが手作業により水洗い洗浄をしていた。この具体的内容を図７以下の図面を参照して説明する。
図７〜図９に従来の乾式電気集塵機用洗浄装置を示しており、図７は一般的な乾式電気集塵機のガス流路に沿った縦断面図であり、図８は電極板の上部に配置された電極板および天井洗浄設備を示し、図９は集塵電極板の上部位置の特に電極入口範囲、電極間範囲、電極出口範囲における碍管室底板および放電枠上段フレームの洗浄設備を示している。図８に示されているように、集塵電極板の洗浄のために、集塵電極板１の上部にガス流路と直交する方向で、かつ電極板１間の隙間を横断する方向に、水平水管２を固定して配設し、これから下方の電極板１に向けて洗浄液を噴霧できるように複数のノズル３Ａを分岐させ、電極板１の上部から洗浄するようにしている。また、水平水管２の上面には天井水洗ノズル３Ｂを設けており、集塵機ケーシングの天井面に向けて洗浄液を噴霧するようにしている。更に、ケーシング内における電極入口範囲４、電極間範囲５、電極出口範囲６に位置して、碍管室７の直下位置にも水平水管８を配置し、これにも側方の電極板１の隙間や碍管室底板の洗浄のためのノズル３Ｃを設け、碍管室底板および放電枠上段フレームの洗浄を行うようにしている。
また、上述の固定水管２、８を用いた構造での洗浄装置で水管を回転させる方式とした構造のものも提案されている（特開平６−３１２０２号公報、同６−３４３８９９号公報）。
【０００４】
【発明が解決しようとする課題】
しかし、上記従来の乾式電気集塵機用洗浄装置では、集塵電極板の上部から多量の洗浄液を噴霧しつつ、電極板面を流下する洗浄水によって汚れを流し落とすものであるが、実質的に電極板の下方領域の洗浄はできず、特に電極入口範囲４、電極間範囲５、電極出口範囲６に相当する集塵電極板については手洗い作業により、水洗清掃しているのが現状である。この手洗い作業方法は、消防ホースを乾式電気集塵機に設置されているマンホールより持ち込み、ホース洗浄する方法を採用している。
【０００５】
このような乾式電気集塵機の手作業による洗浄作業日数は４日程度必要とし、さらに大変な汚れ作業となるため作業員不足となり、多大な人件費用がかかり、安全対策にも足場の設置等費用がかかり、危険作業となる欠点がある。このような背景から、手作業による水洗作業を極力少なくする処理方法が要望されているところである。
【０００６】
本発明は、このような事情に鑑みてなされたもので、乾式電気集塵機内を洗浄するための手作業を不要とした、乾式電気集塵機の内部の洗浄装置を提供することを目的とする。また、洗浄液の使用量を低減して効率的な洗浄効果が得られるような洗浄装置を提供することを目的とする。
【０００７】
【課題を解決するための手段】
本発明は、前記目的を達成する為に、乾式電気集塵機の洗浄に広範囲に水洗洗浄できるよう、洗浄液を供給する水管を集塵電極板に沿う上下縦方向に設置し、これに回転噴霧器を設置することにより、広範囲に少ない洗浄液により効率的に洗浄できるとの知見により得られたものである。
【０００８】
すなわち、本発明に係る乾式電気集塵機用洗浄装置は、乾式電気集塵機の内部を洗浄する装置であって、ガス流路と平行に立設されるとともにガス流路の横断方向に沿って間隔をおいて互いに平行に配列された複数の集塵電極板からなる集塵電極ユニットの側縁部に対向しガス流路の横断方向に沿って間隔をおいて複数の鉛直水管を配設し、当該鉛直水管に回転噴霧器を複数取り付けたことを特徴としている。この場合において、前記回転噴霧器は前記鉛直水管に分岐するノズルヘッダに回転自在に取り付けられて内部に洗浄液を導水可能としたノズル主管と、当該ノズル主管３８の先端部に配置され、先端のノズル噴射孔からの噴霧方向が回転円軌跡の接線方向であって、かつ噴霧圧力がノズル主管３８への偶力を与える方向に向けられているスプレーノズルとを具備してなり、このスプレーノズルからの噴霧圧力により前記ノズル主管を回転可能とすればよい。
【０００９】
また、更に具体的には、乾式電気集塵機の内部を洗浄する装置であって、ガス流路と平行に立設されるとともにガス流路の横断方向に沿って間隔をおいて互いに平行に配列された複数の集塵電極板からなる集塵電極ユニットの上縁部に対向しガス流路方向に沿って間隔をおいて複数の水平水管を配設し、当該水平水管に少なくとも集塵電極板に向けて洗浄液噴霧をなすスプレーノズルを設けるとともに、前記集塵電極ユニットの側縁部に対向しガス流路の横断方向に沿って間隔をおいて複数の鉛直水管を配設し、当該鉛直水管に回転噴霧器を複数取り付け、この回転噴霧器は前記鉛直水管に分岐するノズルヘッダに回転自在に取り付けられて内部に洗浄液を導水可能としたノズル主管と、当該ノズル主管の先端部に配置されたスプレーノズルとを具備してなり、このスプレーノズルからの噴霧圧力により前記ノズル主管を回転可能ならしめたことを特徴とする。前記ノズル主管を前記ノズルヘッダの上下から突出させ、その突出端の各々にスプレーノズルを取り付けるとともに、各端のスプレーノズルはノズル主管の側方に噴霧する水平ノズルと、ノズル主管の延長線と鋭角をなす方向に噴霧する傾斜ノズル等から構成して、ノズルヘッダの全周囲を噴霧領域とすればよい。
【００１０】
【作用】
上記構成によれば、鉛直水管は実質的に電極入口範囲、電極間範囲、電極出口範囲において、ガス流路を横断する方向に間隔をおいて配列され、鉛直水管の管軸方向（上下方向）に複数の回転噴霧器が配置されることになる。これにより回転噴霧器からの噴霧洗浄液は集塵電極板の上部から下部にわたる上下領域の全範囲にその側縁部側から噴霧され、従来の手作業洗浄領域を自動洗浄することができる。回転噴霧器ではスプレーノズルからの噴射方向を少なくともノズル主管を中心とする回転軌跡の回転接線方向に向けるようにし、鉛直水管からの水圧により噴霧方向が回転するようにすることにより、特別な回転駆動手段を要することなく、回転噴霧器周囲の洗浄対象である集塵電極板へ洗浄液を噴霧させることができる。この結果、上部側より洗浄液を多量に流下させる必要がなくなり、高所位置から低位置の広範囲にわたる集塵電極の全体を低使用水量により効率的に洗浄することができるのである。
【００１１】
また、上記構成に加えてケーシングの上部領域に従来と同様の水平水管を併設することによって、集塵電極板の上部領域から低水量の噴霧作用を行わせることによってより効率的な洗浄効果が得られる。
更に、回転噴霧器を鉛直水管から分岐させたノズルヘッダに回転自在に取り付けたノズル主管をヘッダ上下から突出させ、突出端に旋回ノズル部分を形成することにより、ヘッダの全周囲を噴霧領域とすることにより、スプレーノズルからの洗浄液ミストが集塵電極板の全領域に到達させることができ、ホースを用いた手作業洗浄を省略できる程度まで洗浄効果を高めることができる。
【００１２】
【発明の実施の形態】
以下に、本発明に係る乾式電気集塵機用洗浄装置の具体的実施形態を図面を参照して詳細に説明する。
図１は実施形態に係る洗浄装置の配置形態を示す要部斜視図であり、図４〜６は同洗浄装置を乾式電気集塵機に組み込んだ全体構成を示している。
【００１３】
乾式電気集塵機１０はケーシング１２の内部に、網状の放電極と平板状の集塵極とを交互に平行に配列した集塵電極ユニット１４を複数組み配置し、ガスを電極板間に流通させる際にダストを集塵極に捕集するようにしている。ガスはケーシング１２の入口煙道１６から導入され、集塵電極ユニット１４の電極間隙間を流通して出口煙道１８に流されるものとなっている。
【００１４】
このような乾式電気集塵機１０の内部で、特に電極入口範囲２０、電極間範囲２２、および電極出口範囲２４において、ガス流路を横断するケーシング幅方向に沿って間隔をおいて複数の鉛直水管２６が配設されている。したがって、鉛直水管２６はガス流路と平行に配列された集塵電極ユニット１４の電極板側縁部に対向し、集塵電極板間の隙間に平行に沿って平行に配設される。このような鉛直水管２６は集塵電極ユニット１４のほぼ全高にわたる長さを有するものとされ、上端を集合配管２８に接続して全体の鉛直水管２６に洗浄水を供給可能としている。また、鉛直水管２６の下端はドレン抜きのために排水集合管３０に接続され、洗浄作業の後に内部洗浄水を鉛直水管２６から除去できるようにしている。
【００１５】
このような鉛直水管２６には、上下に間隔をおいて複数の回転噴霧器３２が取り付けられ、集塵電極ユニット１４の各集塵電極板面に沿って洗浄液を噴霧できるようになっている。この回転噴霧器３２の具体的構造を図２〜３に示す。鉛直水管２６に分岐管３４を設け、この分岐管３４の先端にノズルヘッダ３６を取り付けている。ノズルヘッダ３６は円筒容器状に形成されたもので、分岐管３４とともにＴ字型をなして鉛直水管２６に取り付けられ、円筒ヘッダ中心線が鉛直水管２６の管軸と平行になるようにしている。このようなノズルヘッダ３６にはそのヘッダ中心線と同心となるようにノズル主管３８が上下に貫通状態で取り付けられている。更に、当該ノズル主管３８がその軸心まわりに自転できるように上下ヘッダ端板３６Ａ、３６Ａに回転支持されている。回転支持はヘッダ端板３６Ａに形成したボス３６Ｂ、３６Ｂにノズル主管３８を貫通させ、ボス３６Ｂ、３６Ｂの外端面に当接する一対のカラー３８Ａ、３８Ａをノズル主管３８に固定した状態で行わせている。したがって、カラー３８Ａ、３８Ａによりノズル主管３８はノズルヘッダ３６から抜け止めが図られ、ボス３６Ｂ、３６Ｂとの間に回送したパッキン４０、４０により水封している。ノズルヘッダ３６の内部に位置するノズル主管３８は内径を膨出させており、ここに導水孔４２を複数貫通させている。したがって、鉛直水管２６からの洗浄水はノズルヘッダ３６に一旦導入され、導水孔４２を通じてノズル主管３８の内部に供給される。
【００１６】
前記ノズル主管３８は上記のようにノズルヘッダ３６から上下に貫通突出されているが、この突出端部には当該ノズル主管３８を中心とする回転軌跡まで延長され噴霧方向が回転接線方向に向けられたスプレーノズル４４が設けられており、このスプレーノズル４４からの噴霧圧力により前記ノズル主管３８が自転できるようにしている。
【００１７】
ここで、ノズル主管３８の各先端部に取り付けられるスプレーノズル４４は、ノズル主管３８の半径方向に延長された一対の水平ノズル４４Ａ、４４Ａと、ノズル主管３８の延長線と鋭角をなす方向、具体的には４５度の角度に向けられた傾斜ノズル４４Ｂを備えている。一対の水平ノズル４４Ａ、４４Ａはノズル主管３８の直径方向に沿って配置され、先端のノズル噴射孔からの噴霧方向が回転円軌跡の接線方向であって、かつ噴霧圧力がノズル主管３８への偶力を与える方向に向けられている。これにより水平ノズル４４Ａ、４４Ａからの噴霧圧によりノズル主管３８が自転しつつ噴霧領域をノズルヘッダ３６の側方全周囲になるように設定されている。また、前記傾斜ノズル４４Ｂはノズル主管３８の回転に伴って先端が回転され、傾斜角度に応じて先端噴射孔を旋回されるようになっている。なお、ノズルヘッダ３６の上下に位置するスプレーノズル４４は共通のノズル主管３８に設けられているので、上下ノズルの噴霧圧力による回転偶力が一致するように各ノズル噴射孔の向きが設定されている。このようなことから、いずれのスプレーノズル４４（４４Ａ、４４Ｂ）からの噴霧圧力によりノズル主管３８が１方向回転をなすようになっており、図３に示しているように、ノズルヘッダ３６のほぼ全周囲が噴霧領域とされている。
【００１８】
このようなスプレーノズル４４を有する回転噴霧器３２は鉛直水管２６に複数取り付けられているが、この間隔はスプレー領域がラップするような間隔に設定すればよく、また、鉛直水管２６の配列間隔もノズル能力に合わせて、非洗浄領域がないように設定すればよい。
【００１９】
なお、上記鉛直水管２６を有する洗浄装置には、図１に具体的に示しているように、集塵電極ユニット１４の上部に位置して、ガス流路を横断する方向に沿って複数の水平水管４６を配設し、当該水平水管４６に少なくとも集塵電極ユニット１４のある下方側に向けて洗浄水の噴霧をなすスプレーノズル４８を設けている。これにより、鉛直水管２６を通じて供給される洗浄水を上下方向で適宜間隔をおいて設置されている回転噴霧器３２による洗浄作用と、従来と同様な上方からの噴霧による洗浄作用とによって、乾式電気集塵機１０の内部洗浄を完全に自動化することができる。
【００２０】
このような実施例によれば、鉛直水管２６を集塵電極ユニット１４の側縁部側で上方領域から下部領域までを対象とし、スプレーノズル４４が水洗圧力（通常、２〜７ｋｇＧ／ｃｍ２）により自動的に回転するよう水平ノズル４４Ａ、４４Ａ、並びに傾斜ノズル４４Ｂを配置したので、その周囲に位置するほとんど全ての集塵電極板を上部から下部までを直接洗浄することができ、これによって、乾式電気集塵機１０の内部を広範囲に洗浄することが可能となり、従来のように人による手水洗作業がなくなる。特に、従来の水平水管４６とこれに設けられたスプレーノズル４８を併用することにより、洗浄作業時間を短縮することができ、洗浄水使用量を大幅に低減することができる。
【００２１】
【発明の効果】
以上のように本発明によれば、回転噴霧器を集塵電極ユニットの上下方向の各部に設置することにより、広範囲に内部を洗浄することができるため、手作業による水洗清掃が不要となる。またこれにより、汚れ作業、危険作業をなくすことができ、人件費用も大幅に低減できる。更に洗浄効率が高いために短時間で洗浄作業ができ、使用水量の大幅削減が可能となる。
【図面の簡単な説明】
【図１】本実施形態に係る乾式電気集塵機用洗浄装置の要部斜視図である。
【図２】本実施形態に係る回転噴霧器の正面図および平面図である。
【図３】同回転噴霧器による洗浄領域の説明斜視図である。
【図４】実施形態に係る洗浄装置を備えた乾式電気集塵機の縦断面図である。
【図５】同平面断面図である。
【図６】同横断面図である。
【図７】従来の洗浄装置を備えた乾式電気集塵機の縦断面図である。
【図８】従来の洗浄装置の電極板洗浄部の斜視図である。
【図９】従来の集塵機出入口および集塵電極ユニット間の洗浄装置の説明斜視図である。
【符号の説明】
１０        乾式電気集塵機
１２        ケーシング
１４        集塵電極ユニット
１６        入口煙道
１８        出口煙道
２０        電極入口範囲
２２        電極間範囲
２４        電極出口範囲
２６        鉛直水管
２８        集合配管
３０        排水集合管
３２        回転噴霧器
３４        分岐管
３６        ノズルヘッダ
３６Ａ      ヘッダ端板
３６Ｂ      ボス
３８        ノズル主管
３８Ａ      カラー
４０        パッキン
４２        導水孔
４４        スプレーノズル
４４Ａ      水平ノズル
４４Ｂ      傾斜ノズル
４６        水平水管
４８        スプレーノズル
【図１】
0003544273.tif 000002
【図２】
0003544273.tif 000003
【図３】
0003544273.tif 000004
【図４】
0003544273.tif 000005
【図５】
0003544273.tif 000006
【図６】
0003544273.tif 000007
【図７】
0003544273.tif 000008
【図８】
0003544273.tif 000009
【図９】
0003544273.tif 000010